(57)【特許請求の範囲】
【請求項１】
所定の撮影間隔で撮影された複数の撮像画像を取得するインターバル撮影を行う撮像装置であって、
フォーカスを制御可能な撮像手段と、
当該撮像装置の撮影状態を判別する状態判別手段と、
前記状態判別手段により判別された当該撮像装置の撮影状態に応じて、前記インターバル撮影における撮影ごとのフォーカス制御方法を変更させるように、前記撮像手段のフォーカスを制御する撮影制御手段と、
を備え、
前記状態判別手段は、フォーカスずれに関するレンズの特性を、当該撮像装置の撮影状態として判別し、
前記撮影制御手段は、前記状態判別手段によりフォーカスずれに関するレンズの特性が良いと判別された場合は、２枚目以降の撮影におけるフォーカス位置を、１枚目のフォーカス位置と同じ位置とする一方、悪いと判別された場合は、２枚目以降の撮影におけるフォーカス位置を、１枚目のフォーカス位置を起点として、新たにフォーカス位置を変更するように前記撮像手段を制御する、
ことを特徴とする撮像装置。
【請求項２】
所定の撮影間隔で撮影された複数の撮像画像を取得するインターバル撮影を行い、フォーカスを制御可能な撮像手段を備える撮像装置で実行される撮像方法であって、
当該撮像装置の撮影状態を判別する状態判別処理と、
前記状態判別処理により判別された当該撮像装置の撮影状態に応じて、前記インターバル撮影における撮影ごとのフォーカス制御方法を変更させるように、前記撮像手段のフォーカスを制御する撮影制御処理と、
を含み、
前記状態判別処理で、フォーカスずれに関するレンズの特性を、当該撮像装置の撮影状態として判別し、
前記撮影制御処理で、前記状態判別処理によりフォーカスずれに関するレンズの特性が良いと判別された場合は、２枚目以降の撮影におけるフォーカス位置を、１枚目のフォーカス位置と同じ位置とする一方、悪いと判別された場合は、２枚目以降の撮影におけるフォーカス位置を、１枚目のフォーカス位置を起点として、新たにフォーカス位置を変更するように前記撮像手段を制御する、
ことを特徴とする撮像方法。
【請求項３】
所定の撮影間隔で撮影された複数の撮像画像を取得するインターバル撮影を行い、フォーカスを制御可能な撮像手段を備える撮像装置を制御するコンピュータに、
当該撮像装置の撮影状態を判別する状態判別機能と、
前記状態判別機能により判別された当該撮像装置の撮影状態に応じて、前記インターバル撮影における撮影ごとのフォーカス制御方法を変更させるように、前記撮像手段のフォーカスを制御する撮影制御機能と、
を実現させ、
前記状態判別機能で、フォーカスずれに関するレンズの特性を、当該撮像装置の撮影状態として判別し、
前記撮影制御機能で、前記状態判別機能によりフォーカスずれに関するレンズの特性が良いと判別された場合は、２枚目以降の撮影におけるフォーカス位置を、１枚目のフォーカス位置と同じ位置とする一方、悪いと判別された場合は、２枚目以降の撮影におけるフォーカス位置を、１枚目のフォーカス位置を起点として、新たにフォーカス位置を変更するように前記撮像手段を制御する、
ことを特徴とするプログラム。
【発明の詳細な説明】
【技術分野】
【０００１】
本発明は、撮像装置、撮像方法及びプログラムに関する。
【背景技術】
【０００２】
従来より、撮影レンズは、温度の違いでレンズの屈折率が変化したり、レンズを保持する鏡胴が膨張したりして、フォーカス等の撮影状態が変化するため、フォーカス位置がずれるフォーカスずれ等の撮影画像への悪影響が発生することがある。その対策として、特許文献１のように温度補正機構を搭載する技術が開示されている。特に、インターバル撮影においては、温度変化による影響が大きく、その対策として特許文献２のように、温度に応じて、記録画素領域を変更する技術が開示されている。
【先行技術文献】
【特許文献】
【０００３】
【特許文献１】特開２０１２−２４２４２７号公報
【特許文献２】特開２００７−１２９４１４号公報
【発明の概要】
【発明が解決しようとする課題】
【０００４】
しかしながら、特許文献２に開示される技術は、フォーカスずれを解消できる技術ではなく、また、特許文献１に開示される技術では、特別な機構を搭載する必要があるという問題がある。
【０００５】
本発明は、このような状況に鑑みてなされたものであり、インターバル撮影時におけるフォーカス制御を適切に行うことを目的とする。
【課題を解決するための手段】
【０００６】
上記目的を達成するため、本発明の一態様の撮像装置は、
所定の撮影間隔で撮影された複数の撮像画像を取得するインターバル撮影を行う撮像装置であって、
フォーカスを制御可能な撮像手段と、
当該撮像装置の撮影状態を判別する状態判別手段と、
前記状態判別手段により判別された当該撮像装置の撮影状態に応じて、前記インターバル撮影における撮影ごとのフォーカス制御方法を変更させるように、前記撮像手段のフォーカスを制御する撮影制御手段と、
を備え、
前記状態判別手段は、フォーカスずれに関するレンズの特性を、当該撮像装置の撮影状態として判別し、
前記撮影制御手段は、前記状態判別手段によりフォーカスずれに関するレンズの特性が良いと判別された場合は、２枚目以降の撮影におけるフォーカス位置を、１枚目のフォーカス位置と同じ位置とする一方、悪いと判別された場合は、２枚目以降の撮影におけるフォーカス位置を、１枚目のフォーカス位置を起点として、新たにフォーカス位置を変更するように前記撮像手段を制御する、
ことを特徴とする。
【発明の効果】
【０００７】
本発明によれば、インターバル撮影時におけるフォーカス制御を適切に行うことができる。
【図面の簡単な説明】
【０００８】
【図１】本発明の一実施形態に係る撮像装置のハードウェアの構成を示すブロック図である。
【図２】図１の撮像装置の機能的構成のうち、インターバル撮影処理を実行するための機能的構成を示す機能ブロック図である。
【図３】フォーカス制御テーブルを説明するための図である。
【図４】図２の機能的構成を有する図１の撮像装置が実行するインターバル撮影処理の流れを説明するフローチャートである。
【図５】他のフォーカス制御テーブルを説明するための図である。
【発明を実施するための形態】
【０００９】
以下、本発明の実施形態について、図面を用いて説明する。
【００１０】
図１は、本発明の一実施形態に係る撮像装置のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
このように構成される撮像装置１においては、設定した撮影間隔で撮影処理を実行し、所定の撮影間隔で撮影された複数の撮像画像を取得するインターバル撮影を行う機能を有する。
【００２１】
レンズ等の結像光学系で撮影を行う本実施形態の撮像装置においては、環境温度や装置の温度の違いで、レンズの屈折率が変化したり、レンズを保持する鏡胴が膨張したりしてフォーカス状態が変化する。特に、実験等により、レンズが沈胴しておらずシステムがオン状態の場合に、ＬＳＩ（Ｌａｒｇｅ  Ｓｃａｌｅ  Ｉｎｔｅｇｒａｔｉｏｎ）等の内部機器の温度上昇により、フォーカス状態が変化する。このようなフォーカス状態が変化した場合において、再度同じ位置にフォーカスしても、位置が合わないことが起こる。
このため撮像装置１においては、インターバル撮影における機能として、インターバル撮影時の撮影状況（外部環境や装置の稼働状況等）に応じて、撮像部１６のフォーカスを制御することで、撮影状況によってレンズ特性から生じるフォーカスずれが加味されて、インターバル撮影ごとのフォーカス制御を適切に行うことができる機能を有する。
【００２２】
図２は、このような撮像装置１の機能的構成のうち、インターバル撮影処理を実行するための機能的構成を示す機能ブロック図である。
本実施形態のインターバル撮影処理とは、装置の撮影状況を判別し、当該判別した撮影状況に応じてフォーカス制御を行ってインターバル撮影を行う一連の処理をいう。
【００２３】
インターバル撮影処理は、図２に示すように、ＣＰＵ１１において、撮影状況判別部５１と、テーブル選択部５２と、インターバル撮影処理部５３と、が機能する。
【００２４】
また、記憶部１９の一領域には、フォーカス制御テーブル記憶部７１と、インターバル撮影画像記憶部７２と、が設定される。
【００２５】
フォーカス制御テーブル記憶部７１には、装置の撮影状況とフォーカス制御とを対応付けたテーブル（以下、「フォーカス制御テーブル」という。）が記憶される。
【００２６】
図３は、フォーカス制御テーブルを説明するための図である。
フォーカス制御テーブルは、図３に示すように、使用するレンズに応じて異なるテーブルを構成する。
本実施形態においては、温度等の要因ではフォーカスずれが起こりにくい特性に問題がないレンズ特性Ａのフォーカス制御テーブルと、温度等の要因でフォーカスずれが起こるレンズ特性Ｂのフォーカス制御テーブルと、がある。フォーカスずれが起こるレンズとは、例えば、ＥＤ（Ｅｘｔｒａ−ｌｏｗ  Ｄｉｓｐｅｒｓｉｏｎ）ガラスを用いたレンズである。ＥＤガラスのレンズでは、正のＥＤレンズの焦点距離が温度上昇に伴って大幅に伸びてしまうため、温度変動時に大きなフォーカスずれが生じる。
【００２７】
各フォーカス制御テーブルは、撮影シーンと、撮影パラメータとが対応付けられている。
「撮影シーン」には、「標準」と、花を撮影する場合の「花」と、星空を撮影する場合の「星空」とがある。
なお、「標準」と「花」の場合は、撮影間隔が短く、撮影実行後次の撮影までの間に撮像部のレンズの沈胴を行わない仕様となっている。これに対して、「星空」の場合には、撮影間隔が長く、撮影実行後次の撮影までの間に撮像部のレンズの沈胴を行う仕様となっている。
【００２８】
「モード」は、フォーカスの制御を設定するモードであり、オートフォーカスである「ＡＦ」、マクロ撮影のオートフォーカスである「ＭＡＣＲＯ」、撮影の１枚目はマニュアルフォーカスとする「ＭＦ」があり、ユーザが任意に各モードを選択可能に構成される。
【００２９】
「１枚目」は、１枚目（初回）の撮影のフォーカス制御を定めたものである。「ＡＦ」及び「ＭＡＣＲＯ」は、「ＡＦ」であり、「ＭＦ」は、「ＭＦ」となる仕様となっている。
【００３０】
「２枚目以降」は、２枚目以降の撮影のフォーカス制御を定めたものである。
本実施形態においては、レンズ特性の違いにより当該「２枚目以降」のフォーカス制御が異なるような仕様となっている。
【００３１】
詳細には、レンズ特性Ａのフォーカス制御テーブルでは、各撮影シーンの全ての「モード」では、レンズ特性に問題がないために、「２枚目以降」は、前回の位置に合わせる固定（「固定（前回の位置）」）となる。
【００３２】
これに対して、温度等の要因でフォーカスずれが起こる特性を有するレンズ特性Ｂのフォーカス制御テーブルでは、撮影間隔が短いシーンで、レンズ沈胴しないような撮影シーンの場合には、限定ＡＦ制御を行う仕様となっている。
【００３３】
「限定ＡＦ制御」とは、レンズの可動範囲を限定して再度ＡＦを行うフォーカス制御である。再度ＡＦ制御を行うのは、フォーカスずれを補正することが目的であるため、前回のフォーカス位置を起点にして、前回のフォーカス位置から大きく離れない範囲で行うことで、高速化及び省電力化を図ることができる。本実施形態の場合では、例えば１分程度以上の撮影間隔があれば、システムをオフしレンズ沈胴させることができるため、当該条件を満たす撮影シーンの場合には、限定ＡＦ制御を行う仕様となっている。
【００３４】
具体的には、レンズ特性Ｂのフォーカス制御テーブルでは、「２枚目以降」は、撮影間隔が短いシーンで、システムをオフせずレンズ沈胴しない「標準」，「花」については、「限定ＡＦ制御」を行う。
なお、撮影間隔が長く、システムをオフしてレンズの沈胴がある場合には、レンズ沈胴によって装置が稼働しなくなり、各部が冷却されてレンズへの温度の影響が少ないために、「固定（前回の位置）」とする仕様になっている。しかしながら、外部の気温が高い等のレンズの温度が高くなる要因がある場合には、当該要因を検知して「限定ＡＦ制御」とするように構成してもよい。
【００３５】
なお、上述したフォーカス制御テーブルは、説明の関係上、レンズ特性Ａ及びＢで別のテーブルを持つかのように説明したが、本実施形態の場合においては、レンズ特性Ｂのレンズが備えられたデジタルカメラであるため、レンズ特性Ｂのフォーカス制御テーブルのみを持っている、即ち、フォーカス制御テーブル記憶部７１には、レンズ特性Ｂのフォーカス制御テーブルのみが記憶されているように構成する。
【００３６】
図２に戻り、インターバル撮影画像記憶部７２には、インターバル撮影で取得された撮像画像のデータが記憶される。
【００３７】
撮影状況判別部５１は、装置周囲の状況や被写体の状況を判別する。
また、撮影状況判別部５１は、装置自体の状況や装置外の環境の状態を含む装置が置かれている状況（以下、「撮影状況」という。）を判別する。具体的には、装置の撮影状況（詳細には、ＬＳＩや装置の周囲の温度等）を判別する。
【００３８】
テーブル選択部５２は、使用するレンズと、撮影状況判別部５１による判別結果に基づいて、撮影シーンに対応したフォーカス制御テーブルを選択する。
テーブル選択部５２は、本実施形態においては使用するレンズがレンズ特性Ｂであるので、撮影状況判別部５１により、判別結果が「花」という判別結果がなされた場合には、例えば、図３に示すように、レンズ特性Ｂの「撮影シーン：花」のフォーカス制御テーブルを選択する。
【００３９】
インターバル撮影処理部５３は、テーブル選択部５２により選択されたフォーカス制御テーブルに基づいて、撮影シーンに対応する撮影を行うように、撮像部１６を制御する。
インターバル撮影処理部５３は、例えば、レンズ特性Ｂで「撮影シーン：花」の「フォーカスモード：ＡＦ」で撮影を行う場合には、図３に示すフォーカス制御テーブルに基づいて、予め設定された枚数分、設定された撮影間隔で撮影を行うと共に、初回（１枚目）の撮影においては、フォーカスをＡＦ制御し、２枚目以降は、限定ＡＦ制御を行うように撮像部１６を制御する。
【００４０】
また、インターバル撮影処理部５３は、撮影したインターバル撮影画像をインターバル撮影画像記憶部７２に記憶させる。
【００４１】
図４は、図２の機能的構成を有する図１の撮像装置１が実行するインターバル撮影処理の流れを説明するフローチャートである。
インターバル撮影処理は、ユーザによる入力部１７へのインターバル撮影処理開始の操作により開始される。
【００４２】
ステップＳ１１において、撮影状況判別部５１は、撮影状況を判別する。
【００４３】
ステップＳ１２において、テーブル選択部５２は、撮影状況判別部５１による判別結果に応じて、フォーカス制御テーブル記憶部７１に記憶されるフォーカス制御テーブルを選択する。詳細には、テーブル選択部５２は、図３に示すレンズ特性Ｂのフォーカス制御テーブルから撮影シーンとモードを選択する。
【００４４】
ステップＳ１３において、インターバル撮影処理部５３は、ユーザにより入力部１７を介して撮影開始操作があったか否かを判定する。
撮影開始操作がない場合には、ステップＳ１３においてＮＯと判定されて、撮影開始操作があるまで待機状態となる。
撮影開始操作があった場合には、ステップＳ１３においてＹＥＳと判定されて、処理はステップＳ１４に進む。
【００４５】
ステップＳ１４において、インターバル撮影処理部５３は、以降のインターバル撮影に備えて、撮影枚数を０とカウントする。
【００４６】
ステップＳ１５において、インターバル撮影処理部５３は、テーブル選択部５２により選択されたフォーカス制御テーブルに基づいて、フォーカスモードに応じたフォーカスとなるように撮像部１６を制御する。詳細には、インターバル撮影処理部５３は、図３に示すレンズ特性Ｂのフォーカス制御テーブルから撮影シーンとモードに基づいて、「１枚目」の設定で撮像部１６を制御する。「撮影シーン：花」で「モード：ＡＦ」の場合には、「１枚目：ＡＦ」の設定となるように撮像部１６を制御する。
【００４７】
ステップＳ１６において、インターバル撮影処理部５３は、撮影を実行する。その後、撮像部１６から出力されたインターバル撮影画像がインターバル撮影画像記憶部７２に記憶される。
【００４８】
ステップＳ１７において、インターバル撮影処理部５３は、撮影枚数を１枚インクリメントしてカウントする。
【００４９】
ステップＳ１８において、インターバル撮影処理部５３は、撮影枚数分完了しているか否かを判定する。
撮影枚数分完了している場合には、ステップＳ１８においてＹＥＳと判定されて、インターバル撮影処理は終了する。
撮影枚数分完了してない場合には、ステップＳ１８においてＮＯと判定さえて、処理はステップＳ１９に進む。
【００５０】
ステップＳ１９において、インターバル撮影処理部５３は、撮影間隔が経過しているか否かを判定する。
撮影間隔が経過していない場合には、ステップＳ１９においてＮＯと判定されて、撮影間隔が経過するまで待機状態となる。
撮影間隔が経過した場合には、ステップＳ１９においてＹＥＳと判定されて、処理はステップＳ２０に進む。
【００５１】
ステップＳ２０において、インターバル撮影処理部５３は、２枚目以降の撮影であるため、テーブル選択部５２により選択されたフォーカス制御テーブルに基づいて、フォーカスモードに応じたフォーカスとなるように撮像部１６を制御する。詳細には、インターバル撮影処理部５３は、図３に示すレンズ特性Ｂのフォーカス制御テーブルから撮影シーンとモードに基づいて、「２枚目」の設定で撮像部１６を制御する。「撮影シーン：花」で「モード：ＡＦ」の場合には、「２枚目：限定ＡＦ制御」の設定となるように撮像部１６を制御する。
その後、処理はステップＳ１６に戻り、再び撮影が実行される。
【００５２】
＜変形例＞
上述の実施形態においては、温度等の要因でフォーカスずれが起こるレンズ特性を考慮して、撮影シーンに応じて、異なるフォーカス制御を設定した例について説明した。
【００５３】
本例では、撮影シーンに応じて、異なるフォーカス制御を設定した例について説明する。図５は、他のフォーカス制御テーブルを説明するための図である。
【００５４】
本例のフォーカス制御テーブルは、図５に示すように、撮影シーン毎に設けられている。
「撮影シーン：標準」は、撮影間隔が短いシーンであり、レンズが沈胴しないために、「２枚目以降」については、限定ＡＦ制御を行うように構成される。また、「撮影シーン：花」も、撮影間隔が短いシーンであり、レンズが沈胴しないために、「２枚目以降」については、限定ＡＦ制御を行うように構成される。
「撮影シーン：星空」は、撮影間隔が長いシーンであり、レンズ沈胴するために、「２枚目以降」については、固定（前回の位置）とするように構成される。
このため、撮像装置１においては、撮影間隔が短く、非撮影時期についても装置を稼働しておくようなシーンについては、１枚目と２枚目以降でフォーカスずれが生じる虞があるため、限定ＡＦ制御をしてレンズの可動範囲を限定して再度ＡＦすることで、１枚目と同様の位置にフォーカスを設定することができるようになる。
【００５５】
以上のように構成される撮像装置１は、撮像部１６と、撮影状況判別部５１と、インターバル撮影処理部５３と、を備える。また、撮像装置１は、所定の撮影間隔で撮影された複数の撮像画像を取得するインターバル撮影を行う。
撮像部１６は、フォーカスを制御可能に構成される。
撮影状況判別部５１は、外部環境、装置の状況、撮影対象の状態等を含む装置の撮影状態を判別する。
インターバル撮影処理部５３は、撮影状況判別部５１により判別された装置の撮影状態に応じて、インターバル撮影時における撮像部１６のフォーカスを制御する。
これにより、撮像装置１においては、装置の撮影状態に応じて、インターバル撮影時における撮像部１６のフォーカスを制御するため、インターバル撮影における撮影ごとのフォーカス制御方法を変更させるように、フォーカス制御を適切に行うことができる。
【００５６】
インターバル撮影処理部５３は、撮影状況判別部５１による装置の撮影状態に応じて、インターバル撮影の２枚目以降の撮影における撮像部１６のフォーカス制御方法を変更するように制御する。
これにより、撮像装置１においては、インターバル撮影時におけるフォーカス制御を適切に行うことができる。
【００５７】
インターバル撮影処理部５３は、インターバル撮影の１枚目の撮影における撮像部１６のフォーカスに応じて、２枚目以降の撮影における撮像部１６のフォーカス制御方法を変更するように制御する。
これにより、撮像装置１においては、１枚目に対応したフォーカスの変更を行うため、適切なフォーカス制御を行うことができる。
【００５８】
インターバル撮影処理部５３は、２枚目以降の撮影において、１枚目のフォーカス位置を起点として、新たにフォーカス位置を変更するように撮像部１６を制御する。
これにより、撮像装置１においては、１枚目に対応したフォーカスの変更を行うため、適切なフォーカス制御を行うことができる。
【００５９】
インターバル撮影処理部５３は、１枚目のフォーカス位置を起点とした所定の範囲内で新たにフォーカス位置を変更するように撮像部１６を制御する。
これにより、撮像装置１においては、１枚目に対応したフォーカスの変更を行うため、適切なフォーカス制御を行うことができる。
【００６０】
撮影状況判別部５１は、フォーカスずれに関するレンズの特性に応じて、装置の撮影状態を判別する。
これにより、撮像装置１においては、レンズ特性に起因したフォーカスずれを加味してフォーカス制御を行うことができ、インターバル撮影時におけるフォーカス制御を適切に行うことができる。
【００６１】
撮影状況判別部５１は、任意に設定される撮影シーンに応じて、装置の撮影状態を判別する。
これにより、撮像装置１においては、撮影シーンに対応したフォーカス制御を行うことができ、インターバル撮影時におけるフォーカス制御を適切に行うことができる。
【００６２】
撮影状況判別部５１は、任意に設定される、オートフォーカス又はマニュアルフォーカスを含むフォーカスモードに応じて、装置の撮影状態を判別する。
これにより、撮像装置１においては、フォーカスモードに対応したフォーカス制御を行うことができ、インターバル撮影時におけるフォーカス制御を適切に行うことができる。
【００６３】
撮影状況判別部５１は、インターバル撮影の任意に設定される撮影間隔に応じて、装置の撮影状態を判別する。
これにより、撮像装置１においては、撮影間隔に対応したフォーカス制御を行うことができ、インターバル撮影時におけるフォーカス制御を適切に行うことができる。
【００６４】
撮影状況判別部５１は、装置或いは周辺の温度に応じて撮影状態を判別する。
これにより、撮像装置１においては、装置或いは周辺の温度に対応したフォーカス制御を行うことができ、インターバル撮影時におけるフォーカス制御を適切に行うことができる。
【００６５】
また、撮像装置１は、フォーカス制御テーブル記憶部７１と、テーブル選択部５２と、を備える。
フォーカス制御テーブル記憶部７１は、装置の撮影状態に応じたインターバル撮影時における撮像部１６のフォーカスの設定を対応付けた複数のテーブルを記憶する。
テーブル選択部５２は、撮影状況判別部５１による判別結果に基づいて、フォーカス制御テーブル記憶部７１に記憶される複数のテーブルから、装置の撮影状態に応じたテーブルを選択する。
インターバル撮影処理部５３は、テーブル選択部５２により選択されたテーブルに基づいて、撮像部１６のフォーカスを制御する。
これにより、撮像装置１においては、テーブルに基づいて、フォーカス制御を行うために、処理負担を少なく簡便に、インターバル撮影時におけるフォーカス制御を適切に行うことができる。
【００６６】
なお、本発明は、上述の実施形態に限定されるものではなく、本発明の目的を達成できる範囲での変形、改良等は本発明に含まれるものである。
【００６７】
上述の実施形態では、撮影間隔に関わらす、撮影モードによって、レンズのフォーカスずれを回避するフォーカス制御（限定ＡＦ制御）を行うように構成していたが、ユーザにより撮影間隔が長く設定されて、システムがオフしレンズ沈胴がある場合に、レンズのフォーカスずれを回避するフォーカス制御（限定ＡＦ制御）を行うように構成してもよい。
【００６８】
また、上述の実施形態では、レンズ特性Ｂのレンズが固定的に備えられたデジタルカメラであるため、レンズ特性Ｂのフォーカス制御テーブルのみを持っていたが、備えられたレンズがレンズ特性Ａの場合は、レンズ特性Ａのフォーカス制御テーブルのみ持っていてもよい。
【００６９】
また、上述の実施形態では、撮像装置１は、レンズ交換を行わない前提であったが、レンズ交換が可能な仕様の場合には、複数のレンズ特性に応じたフォーカス制御テーブルをフォーカス制御テーブル記憶部７１に持って、テーブル選択部５２が装着するレンズに合わせたテーブルを選択するように構成してもよい。
【００７０】
また、上述の実施形態では、１回目の撮影のフォーカスに応じて、２回目以降のフォーカスを制御するようにしていたが、２回目以降のフォーカスで限定ＡＦを行う場合に、３回目の撮影では、２回目のフォーカスに応じて、限定ＡＦを行い、４回目の撮影では３回目のフォーカスに応じて限定ＡＦを行う、というように、撮影ごと前回撮影時のフォーカスに応じて限定ＡＦを行うことで、よりフォーカスの精度を高めるようにしてもよい。
【００７１】
また、上述の実施形態では、外部の温度や装置内部の温度に起因するレンズのフォーカスずれを想定して、システムのオフ・オフやレンズ沈胴の有無からフォーカスずれを回避するフォーカス制御（限定ＡＦ制御）を行うように構成していたが、レンズのフォーカスずれは、レンズの調節方向に重力がかかるような装置の姿勢（例えは、上向きや下向き等）においても起こることがあるため、当該装置の姿勢に応じて、フォーカスずれを回避するフォーカス制御（限定ＡＦ制御）を行うように構成してもよい。
具体的には、撮影状況判別部５１は、装置の姿勢に応じて撮影状態を判別するように構成することができる。
【００７２】
また、上述の実施形態では、レンズ特性や撮影シーンの視点でフォーカス制御テーブルを構成したがこれに限られず、撮影モード、撮影間隔、温度、装置の姿勢等の各々を視点とした複数のフォーカス制御テーブルを採用可能に構成される。この際、撮影状態に応じて、各視点により構成されたフォーカス制御テーブルを選択するように構成される。
【００７３】
また、上述の実施形態では、本発明が適用される撮像装置１は、デジタルカメラを例として説明したが、特にこれに限定されない。
例えば、本発明は、インターバル撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００７４】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００７５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７６】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００７７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００７８】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７９】
以下に、本願の出願当初の特許請求の範囲に記載された発明を付記する。
［付記１］
所定の撮影間隔で撮影された複数の撮像画像を取得するインターバル撮影を行う撮像装置であって、
フォーカスを制御可能な撮像手段と、
当該撮像装置の撮影状態を判別する状態判別手段と、
前記状態判別手段により判別された当該撮像装置の撮影状態に応じて、前記インターバル撮影における撮影ごとのフォーカス制御方法を変更させるように、前記撮像手段のフォーカスを制御する撮影制御手段と、
を備えることを特徴とする撮像装置。
［付記２］
前記撮影制御手段は、前記状態判別手段による当該撮像装置の撮影状態に応じて、前記インターバル撮影の２枚目以降の撮影における前記撮像手段のフォーカス制御方法を変更するように制御する、
ことを特徴とする付記１に記載の撮像装置。
［付記３］
前記撮影制御手段は、前記インターバル撮影の１枚目の撮影における前記撮像手段のフォーカスに応じて、２枚目以降の撮影における前記撮像手段のフォーカス制御方法を変更するように制御する、
ことを特徴とする付記２に記載の撮像装置。
［付記４］
前記撮影制御手段は、２枚目以降の撮影において、１枚目のフォーカス位置を起点として、新たにフォーカス位置を変更するように前記撮像手段を制御する、
ことを特徴とする付記２又は３に記載の撮像装置。
［付記５］
前記撮影制御手段は、１枚目のフォーカス位置を起点とした所定の範囲内で新たにフォーカス位置を変更するように前記撮像手段を制御する、
ことを特徴とする付記４に記載の撮像装置。
［付記６］
前記状態判別手段は、フォーカスずれに関するレンズの特性に応じて、当該撮像装置の撮影状態を判別する、
ことを特徴とする付記１乃至５のいずれか１つに記載の撮像装置。
［付記７］
前記状態判別手段は、任意に設定される撮影シーンに応じて、当該撮像装置の撮影状態を判別する、
ことを特徴とする付記１乃至６のいずれか１つに記載の撮像装置。
［付記８］
前記状態判別手段は、任意に設定される、オートフォーカス又はマニュアルフォーカスを含むフォーカスモードに応じて、当該撮像装置の撮影状態を判別する、
ことを特徴とする付記１乃至７のいずれか１つに記載の撮像装置。
［付記９］
前記状態判別手段は、前記インターバル撮影の任意に設定される撮影間隔に応じて、当該撮像装置の撮影状態を判別する、
ことを特徴とする付記１乃至８のいずれか１つに記載の撮像装置。
［付記１０］
前記状態判別手段は、当該撮像装置或いは周辺の温度に応じて、当該撮像装置の撮影状態を判別する、
ことを特徴とする付記１乃至９のいずれか１つに記載の撮像装置。
［付記１１］
前記状態判別手段は、当該撮像装置の姿勢に応じて、当該撮像装置の撮影状態を判別する、
ことを特徴とする付記１乃至１０のいずれか１つに記載の撮像装置。
［付記１２］
当該撮像装置の撮影状態に応じたインターバル撮影時における前記撮像手段のフォーカスの設定を対応付けた複数のテーブルを記憶する記憶手段と、
前記状態判別手段による判別結果に基づいて、前記記憶手段に記憶される前記複数のテーブルから、当該撮像装置の撮影状態に応じたテーブルを選択する選択手段と、さらに備え、
前記撮影制御手段は、前記選択手段により選択された前記テーブルに基づいて、前記撮像手段のフォーカスを制御する、
ことを特徴とする付記１乃至１１のいずれか１つに記載の撮像装置。
［付記１３］
所定の撮影間隔で撮影された複数の撮像画像を取得するインターバル撮影を行い、フォーカスを制御可能な撮像手段を備える撮像装置で実行される撮像方法であって、
当該撮像装置の撮影状態を判別する状態判別ステップと、
前記状態判別ステップにより判別された当該撮像装置の撮影状態に応じて、前記インターバル撮影における撮影ごとのフォーカス制御方法を変更させるように、前記撮像手段のフォーカスを制御する撮影制御ステップと、
を含むことを特徴とする撮像方法。
［付記１４］
所定の撮影間隔で撮影された複数の撮像画像を取得するインターバル撮影を行い、フォーカスを制御可能な撮像手段を備える撮像装置を制御するコンピュータに、
当該撮像装置の撮影状態を判別する状態判別機能と、
前記状態判別機能により判別された当該撮像装置の撮影状態に応じて、前記インターバル撮影における撮影ごとのフォーカス制御方法を変更させるように、前記撮像手段のフォーカスを制御する撮影制御機能と、
を実現させるためのプログラム。
【符号の説明】
【００８０】
１・・・撮像装置，１１・・・ＣＰＵ，１２・・・ＲＯＭ，１３・・・ＲＡＭ，１４・・・バス，１５・・・入出力インターフェース，１６・・・撮像部１６・・・入力部，１８・・・出力部，１９・・・記憶部，２０・・・通信部，２１・・・ドライブ，３１・・・リムーバブルメディア，５１・・・撮影状況判別部，５２・・・テーブル選択部，５３・・・インターバル撮影処理部，７１・・・フォーカス制御テーブル記憶部，７２・・・インターバル撮影画像記憶部
【図１】
0005874753.tif 000002
【図２】
0005874753.tif 000003
【図３】
0005874753.tif 000004
【図４】
0005874753.tif 000005
【図５】
0005874753.tif 000006